Podtech/llm-jp-corpus-v4-ja_patent huggingface dataset:
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
操作部と記憶部とを有する画像形成装置であって、
情報処理装置から受信した印刷ジョブをユーザに関連づけて前記記憶部に保存する保存手段と、
少なくともユーザ情報の指定に基づいて、ユーザを認証する認証手段と、
前記操作部での印刷指示に基づき、前記認証されたユーザに関連づけて前記記憶部に保存されている印刷ジョブを実行する実行手段と、を有し、
前記記憶部には、ユーザ認証のためのパスワード入力が必要かどうかを示す設定が記憶され、
前記実行手段は、
前記設定がユーザ認証のためのパスワード入力が必要であることを示す場合、前記認証されたユーザに関連づけて前記記憶部に保存されているジョブパスワード付きの印刷ジョブを、ジョブパスワードの入力なしで印刷指示に基づき実行し、
前記設定がユーザ認証のためのパスワード入力が必要でないことを示す場合、前記認証されたユーザに関連づけて前記記憶部に保存されているジョブパスワード付きの印刷ジョブを、ジョブパスワードの入力および印刷指示に基づき実行することを特徴とする画像形成装置。
【請求項２】
前記ユーザ情報の指定は、前記操作部でのユーザ名の入力であることを特徴とする請求項１に記載の画像形成装置。
【請求項３】
前記ユーザ情報の指定は、前記操作部でのユーザオブジェクトの選択であることを特徴とする請求項１に記載の画像形成装置。
【請求項４】
ユーザ認証のためのパスワード入力が必要かどうかを示す前記設定について、前記画像処理装置のユーザごとに設定が行われていることを特徴とする請求項１乃至３のいずれか１項に記載の画像処理装置。
【請求項５】
操作部と記憶部とを有する画像形成装置であって、
情報処理装置から受信した印刷ジョブをユーザに関連づけて前記記憶部に保存する保存手段と、
少なくともユーザ情報の指定に基づいて、ユーザを認証する認証手段と、
前記操作部での印刷指示に基づき、前記認証されたユーザに関連づけて前記記憶部に保存されている印刷ジョブを実行する実行手段と、を有し、
前記実行手段は、
前記認証手段がユーザ情報の指定およびパスワードの入力によってユーザを認証した場合、前記認証されたユーザに関連づけて前記記憶部に保存されているジョブパスワード付きの印刷ジョブを、ジョブパスワードの入力なしで印刷指示に基づき実行し、
前記認証手段がパスワードの入力なしでユーザ情報の指定によってユーザを認証した場合、前記認証されたユーザに関連づけて前記記憶部に保存されているジョブパスワード付きの印刷ジョブを、ジョブパスワードの入力および印刷指示に基づき実行することを特徴とする画像形成装置。
【請求項６】
操作部と記憶部とを有する画像形成装置の制御方法であって、
情報処理装置から受信した印刷ジョブをユーザに関連づけて前記記憶部に保存する保存工程と、
少なくともユーザ情報の指定に基づいて、ユーザを認証する認証工程と、
前記操作部での印刷指示に基づき、前記認証されたユーザに関連づけて前記記憶部に保存されている印刷ジョブを実行する実行工程と、を有し、
前記記憶部には、ユーザ認証のためのパスワード入力が必要かどうかを示す設定が記憶され、
前記実行工程では、
前記設定がユーザ認証のためのパスワード入力が必要であることを示す場合、前記認証されたユーザに関連づけて前記記憶部に保存されているジョブパスワード付きの印刷ジョブが、ジョブパスワードの入力なしで印刷指示に基づき実行され、
前記設定がユーザ認証のためのパスワード入力が必要でないことを示す場合、前記認証されたユーザに関連づけて前記記憶部に保存されているジョブパスワード付きの印刷ジョブが、ジョブパスワードの入力および印刷指示に基づき実行されることを特徴とする制御方法。
【請求項７】
操作部と記憶部とを有する画像形成装置の制御方法であって、
情報処理装置から受信した印刷ジョブをユーザに関連づけて前記記憶部に保存する保存工程と、
少なくともユーザ情報の指定に基づいて、ユーザを認証する認証工程と、
前記操作部での印刷指示に基づき、前記認証されたユーザに関連づけて前記記憶部に保存されている印刷ジョブを実行する実行工程と、を有し、
前記実行工程では、
前記認証工程でユーザ情報の指定およびパスワードの入力によってユーザが認証された場合、前記認証されたユーザに関連づけて前記記憶部に保存されているジョブパスワード付きの印刷ジョブが、ジョブパスワードの入力なしで印刷指示に基づき実行され、
前記認証工程でパスワードの入力なしでユーザ情報の指定によってユーザが認証された場合、前記認証されたユーザに関連づけて前記記憶部に保存されているジョブパスワード付きの印刷ジョブが、ジョブパスワードの入力および印刷指示に基づき実行されることを特徴とする制御方法。
【請求項８】
請求項１乃至４のいずれか１項に記載の手段としてコンピューターを機能させるためのプログラム。
【請求項９】
請求項５に記載の手段としてコンピューターを機能させるためのプログラム。
【手続補正２】
【補正対象書類名】明細書
【補正対象項目名】発明の名称
【補正方法】変更
【補正の内容】
【発明の名称】画像形成装置、制御方法、および、プログラム
【手続補正３】
【補正対象書類名】明細書
【補正対象項目名】０００１
【補正方法】変更
【補正の内容】
【０００１】
本発明はシートに画像を形成する画像形成装置、制御方法、および、プログラムに関する。
【手続補正４】
【補正対象書類名】明細書
【補正対象項目名】０００６
【補正方法】変更
【補正の内容】
【０００６】
本発明は、操作部と記憶部とを有する画像形成装置であって、情報処理装置から受信した印刷ジョブをユーザに関連づけて前記記憶部に保存する保存手段と、少なくともユーザ情報の指定に基づいて、ユーザを認証する認証手段と、前記操作部での印刷指示に基づき、前記認証されたユーザに関連づけて前記記憶部に保存されている印刷ジョブを実行する実行手段と、を有し、前記記憶部には、ユーザ認証のためのパスワード入力が必要かどうかを示す設定が記憶され、前記実行手段は、前記設定がユーザ認証のためのパスワード入力が必要であることを示す場合、前記認証されたユーザに関連づけて前記記憶部に保存されているジョブパスワード付きの印刷ジョブを、ジョブパスワードの入力なしで印刷指示に基づき実行し、前記設定がユーザ認証のためのパスワード入力が必要でないことを示す場合、前記認証されたユーザに関連づけて前記記憶部に保存されているジョブパスワード付きの印刷ジョブを、ジョブパスワードの入力および印刷指示に基づき実行することを特徴とする。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
給紙部を有し、印刷ジョブに基づいて印刷を行う画像形成装置であって、
部毎に異なる給紙部が指定された印刷ジョブを受信する受信手段と、
前記受信手段が受信した前記印刷ジョブの部数の変更を受け付ける受付手段と、を有し、
前記受付手段が前記印刷ジョブの部数の変更を受け付けたことによって、前記受信手段が受信した前記印刷ジョブをキャンセルする、
ことを特徴とする画像形成装置。
【請求項２】
前記受付手段は、前記画像形成装置に記憶された印刷ジョブの一覧において印刷ジョブの選択を受け付けることを特徴とする請求項１に記載の画像形成装置。
【請求項３】
前記受信手段が受信した前記印刷ジョブについて前記受付手段が受け付けた部数と指定されている給紙部の数とが異なる場合、前記受付手段により受け付けた前記印刷ジョブをキャンセルすることを特徴とする請求項１又は２に記載の画像形成装置。
【請求項４】
前記受信手段が受信した印刷ジョブが、部毎に異なる給紙部が指定された印刷ジョブであることを示す情報を表示する表示手段、をさらに有することを特徴とする請求項１乃至３のいずれか１項に記載の画像形成装置。
【請求項５】
前記情報は、カーボンコピージョブであることを示す情報であることを特徴とする請求項４に記載の画像形成装置。
【請求項６】
給紙部を有し、印刷ジョブに基づいて印刷を行う画像形成装置であって、
印刷ジョブを受信する受信手段と、
前記受信手段が受信した前記印刷ジョブの部数の変更を受け付ける受付手段と、を有し、
前記受信手段が受信した印刷ジョブであって、部毎に異なる給紙部が指定された印刷ジョブの部数は変更されない、
ことを特徴とする画像形成装置。
【請求項７】
前記受付手段が部数の変更を受け付けても、前記受信手段が受信した印刷ジョブであって、部毎に異なる給紙部が指定された印刷ジョブの部数は変更されないことを特徴とする請求項６に記載の画像形成装置。
【請求項８】
前記受付手段は、前記受信手段が受信した印刷ジョブであって、部毎に異なる給紙部が指定された印刷ジョブの部数を変更できないことを特徴とする請求項６に記載の画像形成装置。
【請求項９】
前記受信手段が受信した印刷ジョブであって、部毎に異なる給紙部が指定された印刷ジョブを留め置きしないことを特徴とする請求項６に記載の画像形成装置。
【請求項１０】
前記受付手段は、前記画像形成装置に記憶された印刷ジョブの一覧において印刷ジョブの選択を受け付けることを特徴とする請求項６乃至９のいずれか１項に記載の画像形成装置。
【請求項１１】
前記受信手段が受信した印刷ジョブが、部毎に異なる給紙部が指定された印刷ジョブであることを示す情報を表示する表示手段、をさらに有することを特徴とする請求項６乃至１０のいずれか１項に記載の画像形成装置。
【請求項１２】
前記情報は、カーボンコピージョブであることを示す情報であることを特徴とする請求項１１に記載の画像形成装置。
【請求項１３】
給紙部を有し、印刷ジョブに基づいて印刷を行う画像形成装置の制御方法であって、
部毎に異なる給紙部が指定された印刷ジョブを受信する受信工程と、
前記受信工程で受信した前記印刷ジョブの部数の変更を受け付ける受付工程と、を有し、
前記受付工程で前記印刷ジョブの部数の変更を受け付けたことによって、前記受信工程で受信した前記印刷ジョブをキャンセルする、
ことを特徴とする画像形成装置の制御方法。
【請求項１４】
給紙部を有し、印刷ジョブに基づいて印刷を行う画像形成装置の制御方法であって、
印刷ジョブを受信する受信工程と、
前記受信工程で受信した前記印刷ジョブの部数の変更を受け付ける受付工程と、を有し、
前記受信工程で受信した印刷ジョブであって、部毎に異なる給紙部が指定された印刷ジョブの部数は変更されない、
ことを特徴とする画像形成装置の制御方法。
【請求項１５】
請求項１乃至１２のいずれか１項に記載の画像形成装置の各手段をコンピュータに実行させるためのプログラム。
【手続補正２】
【補正対象書類名】明細書
【補正対象項目名】０００８
【補正方法】変更
【補正の内容】
【０００８】
上記課題を解決するため、本発明に係る画像形成装置は、給紙部を有し、印刷ジョブに基づいて印刷を行う画像形成装置であって、部毎に異なる給紙部が指定された印刷ジョブを受信する受信手段と、前記受信手段が受信した前記印刷ジョブの部数の変更を受け付ける受付手段と、を有し、前記受付手段が前記印刷ジョブの部数の変更を受け付けたことによって、前記受信手段が受信した前記印刷ジョブをキャンセルすることを特徴とする。
【手続補正書】
【提出日】令和2年10月11日(2020.10.11)
【手続補正１】
【補正対象書類名】特許請求の範囲
【補正対象項目名】全文
【補正方法】変更
【補正の内容】
【特許請求の範囲】
【請求項１】
少なくとも第１方向に沿って前進可能な回転翼機であって、アーム部と、当該アーム部に取り付けられている複数のモータと、当該モータの夫々に取り付けられている回転翼とを備えており、
前記複数のモータは、少なくとも前記第１方向に沿ってみた場合に、前側に位置する一以上の前側モータと後側に位置する一以上の後側モータとによって構成されており、
前記前側モータに含まれるモータの出力特性と、前記後側モータに含まれるモータの出力特性は異なる、
回転翼機。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
クローキングデバイスであって、
物体側及び像側と、
外向きミラー表面及び内向き表面を有する物体側の湾曲遮蔽領域（ＣＲ）境界、及び外向きミラー表面及び内向き表面を有する像側の湾曲ＣＲ境界と、
前記物体側の湾曲ＣＲ境界及び前記像側の湾曲ＣＲ境界の前記内向き表面により区切られる遮蔽領域と、
前記物体側の湾曲ＣＲ境界及び前記像側の湾曲ＣＲ境界から離間される内向きミラー表面を含む少なくとも１つの外部境界と、
を備え、
前記クローキングデバイスの前記物体側に配置されかつ前記遮蔽領域により遮られる物体からの光が、前記物体側の湾曲ＣＲ境界、前記少なくとも１つの外部境界、及び前記像側の湾曲ＣＲ境界により、前記遮蔽領域の周りに反射されて、前記物体からの前記光が前記遮蔽領域を透過したかに見えるように前記物体の像が前記クローキングデバイスの前記像側に形成され、
前記少なくとも１つの外部境界は、物体側の外部湾曲境界と、像側の外部湾曲境界と、を含み、前記物体側の外部湾曲境界は、前記物体側の湾曲ＣＲ境界の前記外向きミラー表面に近接しつつ対向して配置された内向きミラー表面を含み、前記像側の外部湾曲境界は、前記像側の湾曲ＣＲ境界の前記外向きミラー表面に近接しつつ対向して配置された内向きミラー表面を含み、
前記物体側の湾曲ＣＲ境界の向きは、前記クローキングデバイスの前記物体側に配置される前記物体からの入射光を、前記物体側の湾曲ＣＲ境界と前記物体側の外部湾曲境界との間に位置する焦点に集光するように設定され、前記物体側の外部湾曲境界の向きは、光を前記像側の外部湾曲境界に平行に反射するように設定され、前記像側の外部湾曲境界の向きは、前記像側の外部湾曲境界と前記像側の湾曲ＣＲ境界との間に位置する焦点に向かう光の焦点ボケを発生させるように設定される、
クローキングデバイス。
【請求項２】
前記物体側の湾曲ＣＲ境界の向きは、前記クローキングデバイスの前記物体側に配置される前記物体からの入射光を前記物体側の外部湾曲境界に向けて反射するように設定され、前記物体側の外部湾曲境界の向きは、前記物体側の湾曲ＣＲ境界からの光を前記像側の外部湾曲境界に向けて反射するように設定され、前記像側の外部湾曲境界の向きは、前記物体側の外部湾曲境界からの光を前記像側の湾曲ＣＲ境界に向けて反射するように設定され、前記像側の湾曲ＣＲ境界の向きは、前記像側の外部湾曲境界からの光を反射して、前記物体の像を前記クローキングデバイスの前記像側に形成するように設定される、請求項１に記載のクローキングデバイス。
【請求項３】
前記物体側の湾曲ＣＲ境界、前記像側の湾曲ＣＲ境界、前記物体側の外部湾曲境界、及び前記像側の外部湾曲境界は、凹状ミラー及び放物線状ミラーからなるグループから選択されるミラーを含む、請求項１に記載のクローキングデバイス。
【請求項４】
前記少なくとも１つの外部境界は外部平面反射境界を含み、前記外部平面反射境界は、前記物体側の湾曲ＣＲ境界の前記外向きミラー表面及び前記像側の湾曲ＣＲ境界の前記外向きミラー表面に対向する内向きミラー表面を含む、請求項１に記載のクローキングデバイス。
【請求項５】
前記外部平面反射境界の前記内向きミラー表面は、前記クローキングデバイスの頂部軸線に平行である、請求項４に記載のクローキングデバイス。
【請求項６】
前記物体側の湾曲ＣＲ境界の向きは、前記クローキングデバイスの前記物体側に配置される前記物体からの入射光を前記外部平面反射境界に向けて反射するように設定され、前記外部平面反射境界の向きは、前記物体側の湾曲ＣＲ境界からの光を前記像側の湾曲ＣＲ境界に向けて反射するように設定され、前記像側の湾曲ＣＲ境界の向きは、前記外部平面反射境界からの光を反射して前記物体の像を前記クローキングデバイスの前記像側に形成するように設定される、請求項４に記載のクローキングデバイス。
【請求項７】
前記少なくとも１つの外部境界は、物体側の外部平面反射境界、像側の外部平面反射境界、及び中心配置平面反射境界を含み、前記物体側の外部平面反射境界は、前記物体側の湾曲ＣＲ境界の前記外向きミラー表面に近接しつつ対向して配置された内向きミラー表面を含み、前記像側の外部平面反射境界は、前記像側の湾曲ＣＲ境界の前記外向きミラー表面に近接しつつ対向して配置された内向きミラー表面を含み、前記中心配置平面反射境界は、前記物体側の外部平面反射境界の前記内向きミラー表面と前記像側の外部平面反射境界の前記内向きミラー表面との間に配置されつつこれら内向きミラー表面に対向する外向きミラー表面を含む、請求項１に記載のクローキングデバイス。
【請求項８】
前記中心配置平面反射境界の前記外向きミラー表面は、前記クローキングデバイスの頂部軸線に平行である、請求項７に記載のクローキングデバイス。
【請求項９】
前記物体側の湾曲ＣＲ境界の向きは、前記クローキングデバイスの前記物体側に配置される前記物体からの入射光を前記物体側の外部平面反射境界に向けて反射するように設定され、前記物体側の外部平面反射境界の向きは、前記物体側の湾曲ＣＲ境界からの光を前記中心配置平面反射境界に向けて反射するように設定され、前記中心配置平面反射境界の向きは、前記物体側の外部平面反射境界からの光を前記像側の外部平面反射境界に向けて反射するように設定され、前記像側の外部平面反射境界の向きは、前記中心配置平面反射境界からの光を前記像側の湾曲ＣＲ境界に向けて反射するように設定され、前記像側の湾曲ＣＲ境界の向きは、前記像側の外部平面反射境界からの光を反射して、前記物体の像を前記クローキングデバイスの前記像側に形成するように設定される、請求項７に記載のクローキングデバイス。
【手続補正書】
【提出日】令和2年10月11日(2020.10.11)
【手続補正１】
【補正対象書類名】特許請求の範囲
【補正対象項目名】全文
【補正方法】変更
【補正の内容】
【特許請求の範囲】
【請求項１】
少なくとも第１方向に沿って進行可能な飛行体であって、機体部と、付属部とを備えており、
前記機体部は、本体部と、揚力発生部とを有しており、
前記本体部は、前記第１方向に沿って延びる右側部及び左側部と、前記第１方向とは反対の方向である第２方向における前記右側部及び前記左側部夫々の端部同士を連結する連結部とを有していることにより、前記第１方向と直行する第３方向から見た場合に前記左側部と前記右側部と前記連結部とで囲まれる被囲空間が存在している、
飛行体。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
左右方向に離間して配置された左右のサイドフレームと、
左右方向に直交する直交方向に離間して配置され、前記左右のサイドフレームを連結する一対の連結フレームと、
左右方向に離間して配置され、前記一対の連結フレームに架設された左右の第１架設線材と、
前記第１架設線材の少なくとも一部を覆うとともに、前記左右の第１架設線材を連結する板状の樹脂部材と、
着座を検出するための着座センサと、を備え、
前記樹脂部材は、前記第１架設線材の少なくとも一部を覆う左右の被覆部と、前記左右の被覆部の間の部分であるベース部とを有し、
前記ベース部は、ベース延在部と、前記ベース延在部の前記直交方向の端から前記ベース延在部に対して斜めに延びる傾斜部とを有し、
前記着座センサは、前記左右の第１架設線材の間の位置で前記傾斜部の着座者側の面に配置されていることを特徴とする乗物用シート。
【請求項２】
前記着座センサは、前記傾斜部の着座者側の面のうち、前記左右の被覆部の間の位置に配置されていることを特徴とする請求項１に記載の乗物用シート。
【手続補正２】
【補正対象書類名】明細書
【補正対象項目名】０００４
【補正方法】変更
【補正の内容】
【０００４】
ところで、前述したような構成の乗物用シートは、結合体の左右の端部によって、シートに座った着座者を左右両側から挟むように支持することができるので、ホールド性が向上している。一方で、従来技術は、着座者を左右両側から挟むように支持する部分を有する部材をＳ字ばねの後端部に結合して設けているので、部品点数が増加するという問題がある。また、乗物用シートは、着座センサの取付剛性を向上できることが望ましい。
【手続補正３】
【補正対象書類名】明細書
【補正対象項目名】０００５
【補正方法】変更
【補正の内容】
【０００５】
そこで、本発明は、着座センサの取付剛性を向上させることができる乗物用シートを提供することを目的とする。
また、部品点数を削減しつつ、ホールド性を向上させることを目的とする。
また、着座時のホールド性を良好に保つことを目的とする。
また、着座フィーリングの低下を抑えつつ、着座者から荷重を受ける部材を補強することを目的とする。
また、着座フィーリングを向上させることを目的とする。
【手続補正４】
【補正対象書類名】明細書
【補正対象項目名】０００６
【補正方法】変更
【補正の内容】
【０００６】
前記した目的を達成するための乗物用シートは、左右方向に離間して配置された左右のサイドフレームと、左右方向に直交する直交方向に離間して配置され、前記左右のサイドフレームを連結する一対の連結フレームと、左右方向に離間して配置され、前記一対の連結フレームに架設された左右の第１架設線材と、前記第１架設線材の少なくとも一部を覆うとともに、前記左右の第１架設線材を連結する板状の樹脂部材と、着座を検出するための着座センサと、を備え、前記樹脂部材は、前記第１架設線材の少なくとも一部を覆う左右の被覆部と、前記左右の被覆部の間の部分であるベース部とを有し、前記ベース部は、ベース延在部と、前記ベース延在部の前記直交方向の端から前記ベース延在部に対して斜めに延びる傾斜部とを有し、前記着座センサは、前記左右の第１架設線材の間の位置で前記傾斜部の着座者側の面に配置されていることを特徴とする。
前記した乗物用シートにおいて、前記着座センサは、前記傾斜部の着座者側の面のうち、前記左右の被覆部の間の位置に配置されている構成とすることができる。
また、乗物用シートは、左右方向に離間して配置された左右のサイドフレーム、および、左右方向に直交する直交方向に離間して配置され、前記左右のサイドフレームを連結する一対の連結フレームを有するフレーム部材と、左右方向に離間して配置され、前記一対の連結フレームに架設された左右の第１架設線材と、を備え、前記左右の第１架設線材は、それぞれ、前記直交方向に延びる延出部と、前記延出部に対して左右方向外側に突出するように屈曲した屈曲部とを有し、前記屈曲部は、前記左右の第１架設線材の前記延出部を通る平面に対し、着座者側に位置している構成とすることができる。
【手続補正５】
【補正対象書類名】明細書
【補正対象項目名】００２６
【補正方法】変更
【補正の内容】
【００２６】
本発明によれば、着座センサの取付剛性を向上させることができる。
また、部品点数を削減しつつ、ホールド性を向上させることができる。
【手続補正６】
【補正対象書類名】明細書
【補正対象項目名】００２７
【補正方法】変更
【補正の内容】
【００２７】
また、補強線材が第１支持部を有する第１補強線材を含む構成とすることで、着座時のホールド性を良好に保つことができる。
【手続補正７】
【補正対象書類名】明細書
【補正対象項目名】００２８
【補正方法】変更
【補正の内容】
【００２８】
また、第１支持部により第１延出部と第２延出部を支持することで、着座時のホールド性をより良好に保つことができる。
【手続補正８】
【補正対象書類名】明細書
【補正対象項目名】００２９
【補正方法】変更
【補正の内容】
【００２９】
また、補強線材を坐骨位置を避けるように配置することで、着座フィーリングの低下を抑えつつ、第１架設線材などの着座者から荷重を受ける部材を補強することができる。
【手続補正９】
【補正対象書類名】明細書
【補正対象項目名】００３０
【補正方法】変更
【補正の内容】
【００３０】
また、第１補強線材が前側延出部と後側延出部を下側から支持する第１支持部を有する構成とすることで、着座時のホールド性を良好に保つことができる。
【手続補正１０】
【補正対象書類名】明細書
【補正対象項目名】００３１
【補正方法】変更
【補正の内容】
【００３１】
また、第１補強線材の少なくとも一部を坐骨位置の後に配置し、第２補強線材を第１補強線材の後に配置することで、着座フィーリングの低下を抑えつつ、着座者から荷重を受ける部材をより強固に補強することができる。
【手続補正１１】
【補正対象書類名】明細書
【補正対象項目名】００３２
【補正方法】変更
【補正の内容】
【００３２】
また、第１補強線材と第２補強線材を１本の線材からなる構成とすることで、部品点数を削減することができる。
【手続補正１２】
【補正対象書類名】明細書
【補正対象項目名】００３３
【補正方法】変更
【補正の内容】
【００３３】
また、第１補強線材の第２架設線材と交差する部分を第２架設線材よりも着座者側に配置することで、着座時のホールド性をより良好に保つことができる。
【手続補正１３】
【補正対象書類名】明細書
【補正対象項目名】００３４
【補正方法】変更
【補正の内容】
【００３４】
また、線材と一体に形成された樹脂部材に屈曲部を覆う板状の第２支持部を設けることで、着座フィーリングを向上させることができる。
【手続補正１４】
【補正対象書類名】明細書
【補正対象項目名】００３５
【補正方法】変更
【補正の内容】
【００３５】
また、第２支持部の裏側に屈曲部の左右方向内側の端よりも左右方向内側まで延びるリブを設けることで、着座時のホールド性を良好に保つことができる。
【手続補正書】
【提出日】令和1年11月19日(2019.11.19)
【手続補正１】
【補正対象書類名】明細書
【補正対象項目名】００７７
【補正方法】変更
【補正の内容】
【００７７】
＜充填＞
本発明において、本発明の導電性ペーストで充填すべき部材（被充填物）としては、金属（合金、金属間化合物も含む。）のほか、セラミック、プラスチック、これらの複合材料等を例示できるが、本発明では特にセラミック（シリコンチップ含む）又はプラスチックが好ましい。ここで言う被充填物は、ビア又はトレンチのような微細空間を有するものであり、これを充填するために本発明の導電性ペーストを使用することができる。本発明においては、上述のようなナノ粒子を用いることから、半導体を貫通するビアホール（スルーサブストレートビア：ＴＳＶ）を充填するような場合に採用されうる。
本発明では、特に金属ナノ粒子を使用する点から、ビアは直径０．５〜２．０μｍ、深さが０．５〜２．０μｍ、トレンチは幅０．５〜２．０μｍ、深さが０．５〜２．０μｍのものが好ましい。ここで「ビア」は、基板に設けた貫通又は非貫通の穴のことを示す。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
樹脂と、炭素繊維と、前記炭素繊維の表面の少なくとも一部を被覆するイオン導電性液体とを含有する樹脂組成物であって、
前記イオン導電性液体が、イオン解離したときにイオン導電性を有する塩と該塩を溶解する溶媒の混合物であることを特徴とする樹脂組成物。
【請求項２】
前記樹脂の含有量が４７〜９４．９質量％、前記炭素繊維の含有量が５〜５０質量％、前記イオン導電性液体の含有量が０．１〜３質量％であることを特徴とする請求項１に記載の樹脂組成物。
【請求項３】
ＳＥＭ−ＥＤＳにより測定される前記炭素繊維の表面の前記イオン導電性液体に含有されるＳ元素の濃度が、前記樹脂中に含まれる該Ｓ元素の濃度の１．３倍以上であることを特徴とする請求項１または２に記載の樹脂組成物。
【請求項４】
前記イオン導電性液体のＪＩＳ  Ｚ８８０３に基づいて測定した粘度が、１５００ｍｍ２／ｓ以下であることを特徴とする請求項１乃至３のいずれか一項に記載の樹脂組成物。
【請求項５】
前記樹脂が熱可塑性樹脂であることを特徴とする請求項１乃至４のいずれか一項に記載の樹脂組成物。
【請求項６】
樹脂と、炭素繊維と、導電性液体とを含有する樹脂組成物であって、
前記樹脂の含有量が４７〜９４．９質量％、前記炭素繊維の含有量が５〜５０質量％、前記導電性液体の含有量が０．１〜３質量％であることを特徴とする樹脂組成物。
【請求項７】
樹脂と、炭素繊維と、イオン導電性液体とを含有する樹脂組成物の製造方法であって、
前記イオン導電性液体で前記炭素繊維の表面の少なくとも一部を被覆する工程と、
前記イオン導電性液体が前記表面の少なくとも一部に被覆された前記炭素繊維と、前記樹脂と、を混合する工程と、を含み、
前記イオン導電性液体が、イオン解離したときにイオン導電性を有する塩と該塩を溶解する溶媒の混合物であることを特徴とする樹脂組成物の製造方法。
【請求項８】
前記炭素繊維は結束剤で表面処理されていることを特徴とする請求項７に記載の樹脂組成物の製造方法。
【請求項９】
前記イオン導電性液体で前記炭素繊維の前記表面の少なくとも一部を被覆する工程に、浸漬法を用いることを特徴とする請求項７または８に記載の樹脂組成物の製造方法。
【請求項１０】
樹脂組成物で構成される外装部品を有する光学機器であって、
前記樹脂組成物は、樹脂と、炭素繊維と、前記炭素繊維の表面の少なくとも一部を被覆するイオン導電性液体とを含有し、
前記イオン導電性液体が、イオン解離したときにイオン導電性を有する塩と該塩を溶解する溶媒の混合物であることを特徴とする光学機器。
【手続補正２】
【補正対象書類名】明細書
【補正対象項目名】００１０
【補正方法】変更
【補正の内容】
【００１０】
本発明の樹脂組成物は、樹脂と、炭素繊維と、前記炭素繊維の表面の少なくとも一部を被覆するイオン導電性液体とを含有する樹脂組成物であって、前記イオン導電性液体が、イオン解離したときにイオン導電性を有する塩と該塩を溶解する溶媒の混合物であることを特徴する。
【手続補正３】
【補正対象書類名】明細書
【補正対象項目名】００１１
【補正方法】変更
【補正の内容】
【００１１】
また、本発明の樹脂組成物の製造方法は、樹脂と、炭素繊維と、イオン導電性液体とを含有する樹脂組成物の製造方法であって、前記イオン導電性液体で前記炭素繊維の表面の少なくとも一部を被覆する工程と、前記イオン導電性液体が前記表面の少なくとも一部に被覆された前記炭素繊維と、前記樹脂と、を混合する工程と、を含み、前記イオン導電性液体が、イオン解離したときにイオン導電性を有する塩と該塩を溶解する溶媒の混合物であることを特徴とする。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
０．５から２ミクロンの範囲の格子周期を有する周期的アレイで配置された関連するインターレース壁によって囲まれた複数の略立方体形状のマイクロキャビティを含む第１の表面を有する高融点基材から本質的に構成されたメタマテリアル改善太陽光受光構造を備える太陽熱受熱器であって、前記関連するインターレース壁の第１の壁が第１の横方向の厚さを有し、前記関連するインターレース壁の第２の壁が第２の横方向の厚さを有し、前記第２の横方向の厚さが前記第１の横方向の厚さよりも大きい、太陽熱受熱器。
【請求項２】
前記高融点基材が高融点金属及び炭化シリコンのうちの１つを含む、請求項１に記載の太陽熱受熱器。
【請求項３】
前記関連するインターレース壁の各壁が０．２から１．０ミクロンの範囲の厚さを有する、請求項１に記載の太陽熱受熱器。
【請求項４】
複数の前記マイクロキャビティの各マイクロキャビティが、０．１から１ミクロンの範囲の幅及び０．１から３ミクロンの範囲の深さを有する、請求項３に記載の太陽熱受熱器。
【請求項５】
第１の表面を有する高融点基材を含むメタマテリアル構造を含む太陽熱受熱器において、前記第１の表面が、並列インターレース壁間に周期的アレイで配置された複数の略立方体形状のマイクロキャビティを画定し、前記インターレース壁の各壁が０．１から１ミクロンの範囲の横方向厚さを有する、太陽熱受熱器であって、前記関連するインターレース壁の第１の壁が第１の横方向の厚さを有し、前記関連するインターレース壁の第２の壁が第２の横方向の厚さを有し、前記第２の横方向の厚さが前記第１の横方向の厚さよりも大きい、太陽熱受熱器。
【請求項６】
前記高融点材料が、高融点金属及び炭化シリコンのうちの１つを含む、請求項５に記載の太陽熱受熱器。
【請求項７】
複数の前記マイクロキャビティの各マイクロキャビティが、０．１から１ミクロンの範囲の幅及び０．１から３ミクロンの範囲の深さを有する、請求項５に記載の太陽熱受熱器。
【請求項８】
集光型太陽熱発電（ＣＳＰ）プラントにおいて、
熱交換流体に熱エネルギを伝達するように構成された太陽熱受熱器と、
前記太陽熱受熱器上に入射太陽エネルギを集光するように構成された太陽光集光器とを備え、
前記太陽熱受熱器が、０．５から２ミクロンの範囲の格子周期を有する周期的アレイで配置された関連するインターレース壁によって囲まれた複数の略立方体形状のマイクロキャビティを含む第１の表面を有する高融点基材から本質的に構成されたメタマテリアル改善太陽光吸収構造を備える、ＣＳＰプラントであって、前記関連するインターレース壁の第１の壁が第１の横方向の厚さを有し、前記関連するインターレース壁の第２の壁が第２の横方向の厚さを有し、前記第２の横方向の厚さが前記第１の横方向の厚さよりも大きい、ＣＳＰプラント。
【請求項９】
前記太陽光集光器がソーラーディッシュ及びパラボラトラフのうちの１つを含む、請求項８に記載のＣＳＰプラント。
【請求項１０】
さらに、前記太陽熱受熱器を支持する中央タワーを備え、前記太陽光集光器が複数のヘリオスタットを含む、請求項８に記載のＣＳＰプラント。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
特別識別情報の可変表示の開始と終了とに同期して、演出用識別情報の可変表示を行い、前記演出用識別情報の可変表示の表示結果が特定表示結果となったときに、遊技者にとって有利な有利状態に制御可能な遊技機であって、
少なくとも前記演出用識別情報の可変表示と、該演出用識別情報の可変表示に関連する予告演出と、を含む演出情報を表示する表示手段と、
前記表示手段に前記演出情報を表示するときに、該演出情報の表示順序を設定する表示順序設定手段と、
前記表示順序設定手段により設定された表示順序に基づいて、前記表示手段を制御する表示制御手段と、を備え、
前記予告演出として、実行中の前記演出用識別情報の可変表示に対応する対応表示を実行し、
前記表示順序設定手段は、前記表示順序として前記予告演出を前記演出用識別情報の可変表示よりも高い表示順序に設定し、
前記表示制御手段は、前記演出用識別情報が可変表示しているときは、前記対応表示と前記演出用識別情報の少なくとも一部と重複する位置に表示可能である一方、前記演出用識別情報の可変表示の表示結果が導出されるときは、前記対応表示と前記演出用識別情報の停止表示位置と重複しない位置に表示するように、前記表示手段を制御し、
前記表示手段は、前記演出用識別情報のそれぞれの表示態様と一部または全部が共通する表示態様で、前記特別識別情報と異なる縮小識別情報を常時視認可能な位置に、消えることなく継続して表示し、
前記演出用識別情報の可変表示の開始と同期して前記縮小識別情報の可変表示を開始し、
前記演出用識別情報の可変表示の終了と同期して前記縮小識別情報の可変表示を終了する、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本発明に係る遊技機は、
特別識別情報の可変表示の開始と終了とに同期して、演出用識別情報の可変表示を行い、前記演出用識別情報の可変表示の表示結果が特定表示結果となったときに、遊技者にとって有利な有利状態に制御可能な遊技機であって、
少なくとも前記演出用識別情報の可変表示と、該演出用識別情報の可変表示に関連する予告演出と、を含む演出情報を表示する表示手段と、
前記表示手段に前記演出情報を表示するときに、該演出情報の表示順序を設定する表示順序設定手段と、
前記表示順序設定手段により設定された表示順序に基づいて、前記表示手段を制御する表示制御手段と、を備え、
前記予告演出として、実行中の前記演出用識別情報の可変表示に対応する対応表示を実行し、
前記表示順序設定手段は、前記表示順序として前記予告演出を前記演出用識別情報の可変表示よりも高い表示順序に設定し、
前記表示制御手段は、前記演出用識別情報が可変表示しているときは、前記対応表示と前記演出用識別情報の少なくとも一部と重複する位置に表示可能である一方、前記演出用識別情報の可変表示の表示結果が導出されるときは、前記対応表示と前記演出用識別情報の停止表示位置と重複しない位置に表示するように、前記表示手段を制御し、
前記表示手段は、前記演出用識別情報のそれぞれの表示態様と一部または全部が共通する表示態様で、前記特別識別情報は異なる縮小識別情報を常時視認可能な位置に、消えることなく継続して表示し、
前記演出用識別情報の可変表示の開始と同期して前記縮小識別情報の可変表示を開始し、
前記演出用識別情報の可変表示の終了と同期して前記縮小識別情報の可変表示を終了する、
ことを特徴とする。
（１）他の態様に係る遊技機は、
識別情報の可変表示の表示結果が特定表示結果となったときに、遊技者にとって有利な有利状態（例えば大当り遊技状態など）に制御可能な遊技機（例えばパチンコ遊技機１など）であって、
少なくとも前記識別情報の可変表示と、該識別情報の可変表示に関連する予告演出と、を含む演出情報を表示する表示手段（例えば画像表示装置５など）と、
前記表示手段に前記演出情報を表示するときに、該演出情報の表示順序を設定する表示順序設定手段（例えば図２２に示す優先順位決定デーブルに基づいて表示順序を設定する演出制御用ＣＰＵ１２０など）と、
前記表示順序設定手段により設定された表示順序に基づいて、前記表示手段を制御する表示制御手段（例えば表示順序に基づいて生成された演出画像を表示する演出制御用ＣＰＵ１２０など）と、を備え、
前記予告演出として、実行中の前記識別情報の可変表示に対応する対応表示を実行し（例えばアクティブ表示を行うなど）、
前記表示順序設定手段は、前記表示順序として前記予告演出を前記識別情報の可変表示よりも高い表示順序に設定し（例えば図２２に示す優先順位決定デーブルにおいてアクティブ表示のレイヤー番号が飾り図柄のレイヤー番号よりも高く設定されているなど）、
前記表示制御手段は、前記識別情報が可変表示しているときは、前記対応表示を識別情報の少なくとも一部と重複する位置に表示可能である一方（例えばアクティブ表示は飾り図柄よりも遊技者からみて前方側に配置されるなど）、前記識別情報の可変表示の表示結果が導出されるときは、前記対応表示を前記識別情報の停止表示位置と重複しない位置に表示するように、前記表示手段を制御する（例えばステップＳ３５３の処理を実行する演出制御用ＣＰＵ１２０など）、
ことを特徴とする。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
変動表示を行なう遊技機であって、
特定態様を含む複数種類の表示態様のうちのいずれかの表示態様で保留表示を表示可能な保留表示手段と、
演出を実行可能な演出実行手段と、を備え、
前記演出実行手段は、
所定期間の終了タイミングを示唆可能な情報を変動表示の経過とともに変化させる演出を該所定期間に亘って実行する特定演出と、
前記所定期間が終了したときに複数種類の演出のうちいずれかの演出を実行することにより、遊技者にとって有利な有利状態に制御されることを予告する第１予告演出と、
前記第１予告演出とは異なる演出であって、前記有利状態に制御されることを予告する第２予告演出と、を実行可能であり、
前記第１予告演出および前記第２予告演出は、前記有利状態に制御されるか否かに関する報知をする報知演出とは異なる演出であり、
前記演出実行手段は、変動表示を実行するときに、当該変動表示に対応する前記保留表示が前記特定態様となっていたか否かに応じて、異なる割合で前記特定演出を実行し、
前記第１予告演出の種類によって当該第１予告演出の実行タイミングが異なるとともに前記有利状態に制御される期待度が異なり、前記第１予告演出の実行タイミングに対応して、前記所定期間の長さを異ならせた前記特定演出を実行可能である、遊技機。
【手続補正２】
【補正対象書類名】明細書
【補正対象項目名】０００７
【補正方法】変更
【補正の内容】
【０００７】
（Ａ）  変動表示を行なう遊技機であって、
特定態様を含む複数種類の表示態様のうちのいずれかの表示態様で保留表示を表示可能な保留表示手段と、
演出を実行可能な演出実行手段と、を備え、
前記演出実行手段は、
所定期間の終了タイミングを示唆可能な情報を変動表示の経過とともに変化させる演出を該所定期間に亘って実行する特定演出と、
前記所定期間が終了したときに複数種類の演出のうちいずれかの演出を実行することにより、遊技者にとって有利な有利状態に制御されることを予告する第１予告演出と、
前記第１予告演出とは異なる演出であって、前記有利状態に制御されることを予告する第２予告演出と、を実行可能であり、
前記第１予告演出および前記第２予告演出は、前記有利状態に制御されるか否かに関する報知をする報知演出とは異なる演出であり、
前記演出実行手段は、変動表示を実行するときに、当該変動表示に対応する前記保留表示が前記特定態様となっていたか否かに応じて、異なる割合で前記特定演出を実行し、
前記第１予告演出の種類によって当該第１予告演出の実行タイミングが異なるとともに前記有利状態に制御される期待度が異なり、前記第１予告演出の実行タイミングに対応して、前記所定期間の長さを異ならせた前記特定演出を実行可能である。
（１）  変動表示（特別図柄および演出図柄の変動表示等）を行なう遊技機（パチンコ遊技機１）であって、
未だ開始されていない変動表示について、特定態様（特定保留等）を含む複数種類の表示態様（図１７の通常保留、白保留、青保留、緑保留、赤保留、特定保留の保留表示態様等）のうちのいずれかの表示態様で保留表示（図１５の保留画像Ｈ等）として表示する保留表示手段（図１５の演出表示装置９、保留表示エリア１８ｃ等）と、
所定期間の終了タイミングを示唆可能な情報（計時値）を変動表示の経過とともに変化させる経過演出（図１５（Ｅ）の計時演出領域９５による計時演出等）を該所定期間に亘って実行し、該所定期間が終了した後に所定種類の演出（図２２のＳＰ演出〜第３ＳＰ演出）のうちいずれかの演出（たとえば、図１５（Ｆ）のＳＰ演出画像９６によるＳＰ演出等の選択されたＳＰ演出等）を実行することにより、遊技者にとって有利な有利状態（大当り遊技状態等）に制御されるか否かを予告する特定演出（図１５（Ｅ），（Ｆ）の計時演出およびＳＰ演出を含む特定予告演出等）を実行する特定演出実行手段（演出制御用マイクロコンピュータ１００、図２３のＳ６３６〜Ｓ６４３、図１４のＳ８０２等）とを備え、
前記特定演出実行手段は、変動表示を実行するときに、当該変動表示に対応する前記保留表示が前記特定態様となっていたか否かに応じて、異なる割合で前記特定演出を実行する（図２１（Ａ）〜（Ｃ）等）。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
動作を行う可動役物を原点位置に復帰させる復帰動作を行い、
前記復帰動作の態様に応じて前記可動役物の初期動作を行い、
前記可動役物が前記復帰動作前に原点位置にあった場合に前記可動役物の初期動作を実行可能である、遊技機。
【手続補正２】
【補正対象書類名】明細書
【補正対象項目名】０００５
【補正方法】変更
【補正の内容】
【０００５】
（１）本発明に係る遊技機は、上述した課題を解決するためになされたものであり、遊技を行うことが可能な遊技機（例えば、図１に示す遊技機１等）であって、動作を行う可動役物（例えば、図３３等に示す、演出制御用ＣＰＵ１２０によって動作が制御される、可動役物１７３の回動機構１７３Ａ、開閉機構１７３Ｂ又はスライド機構１７３Ｃ、並びに可動役物１７５の昇降機構１７３Ｄ等）を原点位置に復帰させる復帰動作（例えば、図４０〜図４３において示す、演出制御用ＣＰＵ１２０によって動作が制御される原点位置に復帰する動作等）を行い、前記復帰動作の態様（例えば、図４０又は図４１において回動機構１７３Ａが原点復帰動作をしない態様と、図４２又は図４３において回動機構１７３Ａが原点復帰動作をする態様。また、図４０又は図４２において開閉機構１７３Ｂが原点復帰動作をしない態様と、図４１又は図４３において開閉機構１７３Ｂが原点復帰動作をする態様等）に応じて（例えば、図４０〜図４３において、回動機構１７３Ａ又は開閉機構１７３Ｂが原点復帰動作を行ったときには初期動作をしない態様等で、又は、回動機構１７３Ａ又は開閉機構１７３Ｂが原点復帰動作を行わなかったときには初期動作を行う態様等で）前記可動役物の初期動作（例えば、図４０〜図４３に示すショートイニシャル動作）を行い（例えば、図４３に示す、初期動作をしない態様を含む）、前記可動役物が前記復帰動作前に原点位置にあった場合（例えば、図３３に示す原点センサ１７１Ａ、又は図３４に示す原点センサ１７１Ｂがオン状態であった場合等）に前記可動役物の初期動作を実行可能である（例えば、図４０に示す、回動機構１７３Ａが（３）及び（６）の動作において、及び開閉機構１７３Ｂが（４）及び（５）の動作において初期動作を行う等）。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
表示手段と、
動作を行う可動部材と、
第１基板に設けられた制御手段と、を備え、
前記制御手段は、
前記第１基板と、該第１基板と異なる第２基板とが接続されている場合に、前記可動部材の状態を検出可能な検出手段からの信号に基づいて、前記可動部材の異常報知を前記表示手段において実行可能であり、
前記第１基板と、前記第２基板とが未接続状態である場合に、前記可動部材の異常報知を前記表示手段において行わないように制御する、
ことを特徴とする遊技機。
【手続補正２】
【補正対象書類名】明細書
【補正対象項目名】０００７
【補正方法】変更
【補正の内容】
【０００７】
（１）上記目的を達成するため、本願の請求項に係る遊技機は、遊技を行うことが可能な遊技機（例えばパチンコ遊技機１など）であって、表示手段と、動作を行う可動部材（例えば可動部材５１〜５４など）と、第１基板（例えば演出制御基板１２など）に設けられた制御手段（例えば演出制御用マイクロコンピュータ１２０のＣＰＵ１３０など）と、を備え、前記制御手段は、前記第１基板と、該第１基板と異なる第２基板とが接続されている場合に、前記可動部材の状態を検出可能な検出手段（例えば可動部材位置センサ６１など）からの信号に基づいて、前記可動部材の異常報知を前記表示手段において実行可能であり（例えば演出制御メイン処理のステップＳ５８〜Ｓ６０などを参照）、前記第１基板と、前記第２基板（例えば演出制御用中継基板１６Ａなど）とが未接続状態である場合に、前記可動部材の異常報知を前記表示手段において行わないように制御する（例えば演出制御メイン処理のステップＳ５７などを参照）。
このような構成においては、製造段階や開発段階における作業効率を向上できる。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
遊技に関する表示が可能な第１表示手段と第２表示手段とを備える遊技機であって、
前記第１表示手段と前記第２表示手段とに遊技機に関する表示をさせる制御を行う表示制御手段と、
前記第２表示手段を駆動させる駆動手段と、を備え、
前記表示制御手段は、制御信号により前記第１表示手段と前記第２表示手段とに遊技に関する表示をさせる制御を行い、
前記表示制御手段は、
前記遊技機への電力供給が開始されたときに前記第１表示手段と前記第２表示手段とに復旧時の表示をさせる制御を行う復旧時表示制御手段と、
前記第１表示手段と前記第２表示手段とが前記復旧時の表示をしているときに復帰条件が成立したことに基づいて、前記第１表示手段と前記第２表示手段とを同じタイミングで前記復旧時の表示から通常時の表示に復帰させる制御を行う通常表示制御手段と、を含み、
前記復旧時表示制御手段は、前記復旧時の表示として、前記第１表示手段に特定色の背景上に復旧中である旨を特定可能な画像を表示させる制御を行い、前記第２表示手段に前記特定色の表示をさせる制御を行う、
ことを特徴とする遊技機。
【請求項２】
前記第２表示手段を変位させる駆動手段をさらに備える、
ことを特徴とする請求項１に記載の遊技機。
請求項１記載の遊技機。
【手続補正２】
【補正対象書類名】明細書
【補正対象項目名】０００７
【補正方法】変更
【補正の内容】
【０００７】
（Ａ）遊技に関する表示が可能な第１表示手段と第２表示手段とを備える遊技機であって、
前記第１表示手段と前記第２表示手段とに遊技機に関する表示をさせる制御を行う表示制御手段と、
前記第２表示手段を駆動させる駆動手段と、を備え、
前記表示制御手段は、制御信号により前記第１表示手段と前記第２表示手段とに遊技に関する表示をさせる制御を行い、
前記表示制御手段は、
前記遊技機への電力供給が開始されたときに前記第１表示手段と前記第２表示手段とに復旧時の表示をさせる制御を行う復旧時表示制御手段と、
前記第１表示手段と前記第２表示手段とが前記復旧時の表示をしているときに復帰条件が成立したことに基づいて、前記第１表示手段と前記第２表示手段とを同じタイミングで前記復旧時の表示から通常時の表示に復帰させる制御を行う通常表示制御手段と、を含み、
前記復旧時表示制御手段は、前記復旧時の表示として、前記第１表示手段に特定色の背景上に復旧中である旨を特定可能な画像を表示させる制御を行い、前記第２表示手段に前記特定色の表示をさせる制御を行う、
ことを特徴とする。
（１）上記目的を達成するため本願の第１の観点に係る遊技機は、
遊技に関する表示が可能な第１表示手段（例えば、メイン画像表示装置５など）と第２表示手段（例えば、サブ画像表示装置５ａ〜５ｄなど）とを備える遊技機であって、
前記第１表示手段と前記第２表示手段とに遊技機に関する表示をさせる制御を行う表示制御手段（例えば、演出制御を行う演出制御基板１２など）を備え、
前記表示制御手段は、
前記遊技機への電力供給が開始されたときに前記第１表示手段と前記第２表示手段とに復旧時の表示（例えば、電源復旧画面の表示など）をさせる制御を行う復旧時表示制御手段（例えば、ステップＳ６８３、６８４などの処理を行って電源復旧指定コマンドを受信すると電源復旧画面の表示開始設定を行う部分など）と、
前記第１表示手段と前記第２表示手段とが前記復旧時の表示をしているときに復帰条件が成立したことに基づいて、前記第１表示手段と前記第２表示手段とを同じタイミングで前記復旧時の表示から通常時の表示（例えば、通常の演出画面の表示など）に復帰させる制御を行う通常表示制御手段（例えば、ステップＳ６８９〜６９２などの処理を行って画面復帰条件が成立したと判定したときに電源復旧画面の表示の終了設定を行い、ステップＳ６９１Ａなどの処理を行って通常の演出画面の表示の復帰設定を行い、ステップＳ７５を実行して演出画面などを表示する部分など）とを含む、
ことを特徴とする。